(57)【特許請求の範囲】
【請求項１】
基布パネルによって袋状に形成されるとともに、展開用ガスを供給されることによって展開膨張するバッグ部と、
前記展開用ガスを発生するインフレータと
を備えるエアバッグ装置であって、
前記インフレータは、
ガス発生剤と、
前記ガス発生剤にガス発生反応を開始させるイニシエータと、
前記ガス発生剤及び前記イニシエータを収容するハウジングと、
前記ハウジングに形成された開口を介して外部から前記イニシエータに電力を供給する通電用ハーネスと、
前記開口の周辺における前記ハウジングの表面と対向して配置されるキャップ部材と、
前記開口を取り囲みかつ前記ハウジングの表面と前記キャップ部材の対向する面部との間に挟まれて配置される環状の弾性部材と、
前記弾性部材の内周側における前記ハウジングと前記キャップ部材との間の空間部に充填されたポッティング剤とを備え、
前記弾性部材は、弾性を有する材料によって形成された基材の前記ハウジング側の面部及び前記キャップ部材側の面部にそれぞれ接着剤又は粘着剤を設けた両面テープであること
を特徴とするエアバッグ装置。
【発明の詳細な説明】
【技術分野】
【０００１】
本発明は、例えば自動二輪車等の鞍乗り型車両に設けられ、衝突時等に搭乗者の前方で展開膨張するバッグ部を有するエアバッグ装置に関するものである。
【背景技術】
【０００２】
運転者等の乗員が車体に跨って搭乗する自動二輪車等の鞍乗り型車両において、衝突時等に乗員の前方で展開膨張し、乗員を拘束するバッグ部を有するエアバッグ装置を設けることが提案されている。
例えば、特許文献１には、乗員シート前方に設けられた保持箱内にバッグを収容し、車両の衝突時等に、保持箱から上方にバッグを展開膨張させて乗員の上体を拘束するエアバッグ装置が記載されている。
特許文献１においては、保持箱上部には、車両後方側にヒンジを有する前開きのリッドが設けられ、バッグ部はこのリッドを押し開きつつ膨張するようになっている。
【０００３】
ところで、一般に、エアバッグ装置は、インフレータと称されるガス発生装置が発生する展開用ガスによってバッグ部の展開膨張を行なう。インフレータは、ガス発生剤と、このガス発生剤のガス発生反応を開始させるイニシエータ等を備えている。
また、イニシエータは、反応薬剤と、この反応薬剤の反応を開始させるための点火装置及び通電用ハーネス等を備えている。
【０００４】
しかし、上述したような鞍乗り型車両のエアバッグ装置の場合、保持箱の上部にリッドが設けられるが、さらにイニシエータと通電用ハーネスとの接続箇所の防水性を向上することが求められる。
【０００５】
こうしたイニシエータと通電用ハーネスとの接続箇所の防水に関する従来技術として、例えば特許文献２には、乗用車等の自動車の車室外に設けられる歩行者保護用エアバッグ装置において、イニシエータが挿入された筒状のカラーの外径側に、さらにイニシエータ取付用の部材を設けて、この部材の外径側から通電用ハーネス側に筒状のキャップ部材を延長し、このキャップ部材の内径側にポッティング剤を充填することによって、コネクタをポッティング剤の内部に埋没させてコネクタ周辺部を防水することが記載されている。
【先行技術文献】
【特許文献】
【０００６】
【特許文献１】特開２０１１−      ９６２号公報
【特許文献２】特開２００７−３０９５４６号公報
【発明の概要】
【発明が解決しようとする課題】
【０００７】
しかし、特許文献２に記載された技術においては、キャップ部材とイニシエータ取付用部材との間に、部品の寸法や組み付けのばらつき等によって隙間が形成された場合、ポッティング剤の充填時にリークが生じる可能性がある。
【０００８】
本発明の課題は、ポッティングによりイニシエータと通電用ハーネスとの接続部の防水性を確保するとともに、ポッティング剤充填時のリークを防止したインフレータを有するエアバッグ装置を提供することである。
【課題を解決するための手段】
【０００９】
上記した課題を解決するため、本発明のエアバッグ装置は、基布パネルによって袋状に形成されるとともに、展開用ガスを供給されることによって展開膨張するバッグ部と、前記展開用ガスを発生するインフレータとを備えるエアバッグ装置であって、前記インフレータは、ガス発生剤と、前記ガス発生剤にガス発生反応を開始させるイニシエータと、前記ガス発生剤及び前記イニシエータを収容するハウジングと、前記ハウジングに形成された開口を介して外部から前記イニシエータに電力を供給する通電用ハーネスと、前記開口の周辺における前記ハウジングの表面と対向して配置されるキャップ部材と、前記開口を取り囲みかつ前記ハウジングの表面と前記キャップ部材の対向する面部との間に挟まれて配置される環状の弾性部材と、前記弾性部材の内周側における前記ハウジングと前記キャップ部材との間の空間部に充填されたポッティング剤とを備え、前記弾性部材は、弾性を有する材料によって形成された基材の前記ハウジング側の面部及び前記キャップ部材側の面部にそれぞれ接着剤又は粘着剤を設けた両面テープであることを特徴とする。
これによれば、ポッティング剤が充填される領域がハウジングの表面、キャップ部材及び弾性部材によって規制されるとともに、弾性部材がハウジング及びキャップとの接触部を確実にシールすることによって、ポッティング剤の充填時におけるリークを防止し、適切なポッティングにより製品の防水性を確保できる。
【００１０】
また、組立時に両面テープの粘着力によってハウジングとキャップとを仮固定することが可能となり、組立作業性が向上する。
【発明の効果】
【００１１】
以上説明したように、本発明によれば、ポッティングによりイニシエータと通電用ハーネスとの接続部の防水性を確保するとともに、ポッティング剤充填時のリークを防止したインフレータを有するエアバッグ装置を提供することができる。
【図面の簡単な説明】
【００１２】
【図１】本発明を適用したエアバッグ装置の実施形態を備えた自動二輪車の模式的側面視図である。
【図２】図１の自動二輪車に設けられるエアバッグモジュールの模式的断面図であって、リッドが閉じた状態（バッグ部の展開膨張前の状態）を示している。
【図３】図２のエアバッグモジュールに設けられるインフレータの部分断面斜視図である。
【図４】図３のインフレータの分解部分断面斜視図である。
【図５】図３のインフレータにおけるポッティング剤充填後のコネクタ周辺部の断面図である。
【発明を実施するための形態】
【００１３】
以下、本発明を適用したエアバッグ装置の実施形態について説明する。
実施形態のエアバッグ装置は、例えば、鞍乗り型車両である自動二輪車に設けられ、衝突時等に搭乗者の前方側で展開膨張するバッグ部を備えている。
図１は、実施形態のエアバッグ装置を備えた自動二輪車の模式的側面図である。
【００１４】
自動二輪車１は、前輪ＦＷ、後輪ＲＷ、フレーム１０、フロントフォーク２０、スイングアーム３０、シート４０、ハンドル５０等を備えて構成されている。
【００１５】
フレーム１０は、車体中央部に設けられる構造部材であって、その下部には図示しないエンジン、トランスミッション及び冷却装置、燃料供給装置などの補機類が搭載されている。
【００１６】
フロントフォーク２０は、フレーム１０の前端部に回動可能に取り付けられ、前輪ＦＷ及びフロントブレーキ等を支持する部材である。
フロントフォーク２０は、内部にスプリング及びダンパが収容され伸縮するテレスコピック式のフロントサスペンションである。
フロントフォーク２０における前輪ＦＷの上部には、フロントフェンダ２１が設けられている。
【００１７】
スイングアーム３０は、フレーム１０の下部から後方に突き出して設けられ、フレーム１０に対して揺動可能に取り付けられるとともに、後輪ＲＷを支持する部材である。
スイングアーム３０とフレーム１０との間には、リアサスペンションの図示しないスプリングダンパユニットが設けられている。
【００１８】
シート４０は、乗員が鞍乗りによって着座する部分であって、フレーム１０の上部に設けられている。
【００１９】
ハンドル５０は、フロントフォーク２０の上部から車両後方側かつ車幅方向外側に突き出して形成され、乗員の手指により把持される操作部材である。
ハンドル５０には、フロントブレーキレバー、クラッチレバー、各種灯火類のスイッチ等が設けられ、また、右側のグリップはスロットル操作部を兼ねている。
ハンドル５０の中央部には、ヘッドライト６０が取り付けられている。
【００２０】
図１に示すように、エアバッグモジュール１００は、シート４０の前方における車体上部に設けられている。エアバッグモジュール１００は、自動二輪車１の衝突時等に、運転者の前方でバッグを展開膨張させ、運転者の上体を受け止めて拘束するものである。
図２は、エアバッグモジュール１００の模式的断面図であって、リッドが閉じた状態を示す図である。
エアバッグモジュール１００は、バッグ１１０、リテーナ１２０、リッド１３０、インフレータ２００等を備えて構成されている。
【００２１】
バッグ１１０は、基布パネルを縫合又は接着等することによって袋状に形成したものである。
バッグ１１０は、未使用時には例えばロール状、蛇腹状等に折り畳まれた状態でリテーナ１２０内に収容されている。
また、図示しないエアバッグ制御装置が、例えばフロントフォーク２０等に設けたセンサによって衝突を検出した場合には、バッグ１１０は、インフレータ２００から展開用ガスを吹き込まれることによって、リッド１３０を押し開き、車体の上方かつ乗員の前方で展開膨張して乗員の上体を拘束する。
【００２２】
リテーナ１２０は、例えば鋼板をプレス加工した板金部材を組み合わせることによって上部が開口したボックス状に形成されている。
バッグ１１０は、吹込み口がリテーナ１２０の下面と対向した状態で、後述するインフレータ２００のバッグリング２２０によってリテーナ１２０に固定される。
リテーナ１２０は、下面部１２１、前面部１２２、後面部１２３、図示しない側面部等を備えて構成されている。
【００２３】
下面部１２１は、リテーナ１２０の底部を構成するほぼ平板状の部分である。
下面部１２１には、図２に示すように、インフレータ２００が取り付けられる開口１２１ａが形成されている。
【００２４】
前面部１２２は、下面部１２１の前端部から上方へ延びて形成されたほぼ平板状の部分である。
後面部１２３は、下面部１２１の後端部から上方へ延びて形成されたほぼ平板状の部分である。
側面部は、下面部１２１の左右両端部から上方へ延びて形成されたほぼ平板状の部分であって、その前端部及び後端部は、それぞれ前面部１２２、後面部１２３の左右両端部と接合されている。
【００２５】
リッド１３０は、未使用時においてはリテーナ１２０の上部を閉塞する蓋状の部材であって、バッグ１１０の展開膨張時には、例えば車両後方側に配置されたヒンジ回りに回動して開き、バッグ１１０の展開膨張を可能とするものである。
リッド１３０は、例えば樹脂系材料によって一体に形成された上面部１３１、前面部１３２、後面部１３３等を有して構成されている。
【００２６】
上面部１３１は、未使用時にリテーナ１２０の上部開口を実質的に閉塞する面部である。
上面部１３１は、車両の外部に露出する意匠面として機能する。
【００２７】
前面部１３２は、上面部１３１の前端部から下方へ突き出したほぼ平板状の面部である。
前面部１３２は、リテーナ１２０の前面部１２２に、例えば図示しないリベット等を用いて固定される。
前面部１３２の上端部近傍には、車幅方向にほぼ沿って伸びるとともに、他の部分よりも溝状に肉厚を小さく形成された図示しないテアラインが形成されている。
このテアラインは、バッグ１１０の展開膨張時に、バッグ１１０から上面部１３１が受ける押圧力によって破断する脆弱部である。
リッド１３０の開放時には、前面部１３２におけるテアラインよりも下方の部分は、リテーナ１２０側に残り、テアラインよりも上方の部分のみが上面部１３１とともに回動し上昇する。
【００２８】
後面部１３３は、上面部１３１の後端部から下方へ突き出したほぼ平板状の面部である。
後面部１３３は、リテーナ１２０の後面部１２３に、例えばリベット等を用いて固定される。
後面部１３３の上部には、肉厚を溝状に小さくすることによって、リッド１３０の開放時に屈曲する図示しないヒンジ部が形成されている。
【００２９】
インフレータ２００は、図示しないエアバッグ制御ユニットが、車両の衝突を検出した場合に、バッグ部１００を展開膨張させる展開用ガスを発生するものである。
エアバッグ制御ユニットは、例えば、フロントフォーク２０に設けられた加速度センサが、予め設定された閾値以上の減速度を検出した場合に、車両の衝突を判定する。
図３は、インフレータ２００の部分断面斜視図である。
図４は、インフレータ２００の分解部分断面斜視図である。
なお、図３、図４及び後述する図５は、エアバッグモジュール１００への取付時に対して、上下方向を逆に図示している。
【００３０】
インフレータ２００は、本体部２１０、バッグリング２２０、通電用ハーネス２３０、コネクタ２４０、キャップ２５０、両面テープ２６０等を有して構成されている。
本体部２１０は、実質的に円筒状に形成されたハウジングの内部に、ガス発生剤及びこのガス発生剤にガス発生を開始させるイニシエータを内蔵して構成されている。
イニシエータは、反応薬剤及び反応薬剤に反応を開始させる点火装置を備えている。
本体部２１０の外周面には、つば状に外径側に張り出したフランジ２１１が設けられている。
【００３１】
バッグリング２２０は、バッグ１１０が取り付けられる基部となるリング状の部材である。
バッグリング２２０は、本体部２１０のフランジ２１１の上面部側（図３、図４では下方側）に取り付けられる。本体部２１０のフランジ２１１よりも上方の領域は、バッグリング２２０の内径側に挿入される。
また、バッグリング２２０は、下方（図３、図４では上方）に突き出したボルト２２１を備えている。
このボルト２２１は、本体部２１０のフランジ２１１及びキャップ２５０を、リテーナ１２０の下面部１２１とともに、ナットＮによって共締めするものである。
【００３２】
通電用ハーネス２３０は、本体部２１０内のイニシエータの点火装置に点火用の電力を供給するものであって、図示しないエアバッグ制御ユニットに接続されている。
コネクタ２４０は、通電用ハーネス２３０とイニシエータとを接続するものである。
コネクタ２４０は、本体部２１０の下面部（図３、図４では上方）の中央部に設けられた開口２１０ａ内に設けられたイニシエータ側の図示しないコネクタと結合される。
【００３３】
キャップ２５０は、本体部２１０の下部に被せられ、これをカバーするとともに、コネクタ２４０を防水するポッティング剤Ｐの充填時に、ポッティング剤を保持するものである。
キャップ２５０は、平面部２５１、突出部２５２、スカート部２５３、フランジ部２５４を、例えば鋼板のプレス加工により一体的に形成したものである。
また、キャップ２５０には、耐熱性、絶縁性、耐蝕性などを高めるため、塗装が施されている。
【００３４】
平面部２５１は、本体部２１０の下面部と所定の間隔を隔てて対向する平板状の面部である。平面部２５１の外形は、本体部２１０の外径よりわずかに大きい円形に形成されている。
突出部２５２は、平面部２５１の中央部から下方側（図３、図４では上方側）へ突き出した筒状の部分であって、コネクタ２４０を収容するものである。
突出部２５２は、本体部２１０の筒軸方向から見た平面形が例えば長円状に形成されている。突出部２５２の突端部は開口しており、通電用ハーネス２３０はこの開口を通してキャップ２５０の内側へ引き込まれる。
スカート部２５３は、平面部２５１の外周縁部から上方側（図３、図４では上方側）に突き出した円筒状の部分である。
フランジ部２５４は、スカート部２５３の突端部から外径側へつば状に張り出して形成され、ボルト２２１が通されるボルト孔が形成されている。
【００３５】
両面テープ２６０は、平面部２５１と本体部２１０の対向する端面との間に挟まれて配置され、これらの間でポッティング剤をシールするものである。
両面テープ２６０は、弾性を有する材料からなる基材の両面に、接着剤、粘着剤などを塗布して構成され、横断面形状はほぼ矩形となっている。
また、両面テープ２６０を本体部２１０の筒軸方向から見た平面形は、突出部２５２よりも大きい長円状となっており、インフレータ２００を組立後に下方から見たときに、突出部２５２及び本体部２１０の開口２１０ａを包囲するように配置されている。
両面テープ２６０は、平面部２５１及び本体部２１０にそれぞれ接着又は粘着されるとともに、これらの間で基材が圧縮された状態で保持される。
【００３６】
インフレータ２００は、上述した各部材を、組み立てた後に、突出部２５２の開口部から、例えばウレタン樹脂等のポッティング剤を充填し、硬化させることによって、コネクタ２４０の防水を図っている。
図５は、ポッティング剤を充填後の状態を示す断面図である。
ポッティング剤Ｐは、両面テープ２６０の内側におけるキャップ２５０の平面部２５１と本体部２１０との間から、突出部２５２の開口付近までのほぼ全域に充填される。
この充填時に、両面テープ２６０は、その外径側にポッティング剤が漏れ、流れることを防止するシールとして機能する。
【００３７】
以上説明した本実施形態によれば、以下の効果を得ることができる。
（１）ポッティング剤Ｐが充填される領域がインフレータ２００の本体部２１０のハウジング表面、キャップ２５０及び両面テープ２６０によって規制されるとともに、両面テープ２６０がハウジング及びキャップとの接触部を確実にシールすることによって、ポッティング剤Ｐの充填時におけるリークを防止し、適切なポッティングにより製品の防水性を確保してエアバッグ装置の信頼性、耐久性を確保できる。
（２）本体部２１０のハウジング表面とキャップ２５０との間に両面テープ２６０を設けたことにより、組立時に両面テープ２６０の粘着力によって本体部２１０とキャップ２５０とを仮固定することが可能となり、組立作業性が向上する。
【００３８】
なお、本発明の技術的範囲は、上述した各実施形態によって限定されるものではなく、適宜変更することが可能である。このような変更の一例として例えば以下のようなものがあり、これらも本発明の技術的範囲内である。
（１）上述した実施形態のエアバッグ装置は、一例として自動二輪車に設けられるものであったが、本発明はこれに限らず、例えばＡＴＶ等の他種の鞍乗り型車両にも適用することが可能である。
（２）エアバッグ装置を構成する各部分の形状、構造、材質、製法、配置等は、上述した実施形態に限定されず、適宜変更することが可能である。
（３）上述した実施形態においては、車両の衝突検出後にバッグを展開膨張させているが、これに限らず、車両の衝突の前兆（プリクラッシュ）の検出に応じてバッグを展開膨張させるようにしてもよい。
【符号の説明】
【００３９】
１    自動二輪車                ＦＷ    前輪
ＲＷ    後輪                      １０    フレーム
２０    フロントフォーク          ２１    フロントフェンダ
３０    スイングアーム            ４０    シート
５０    ハンドル                  ６０    ヘッドライト
１００    エアバッグモジュール    １１０    バッグ
１２０    リテーナ                １２１    下面部
１２１ａ  開口                    １２２    前面部
１２３    後面部                  １２４    側面部
１３０    リッド                  １３１    上面部
１３２    前面部                  １３３    後面部
２００    インフレータ
２１０    本体部                  ２１１    フランジ
２２０    バッグリング            ２２１    ボルト
２３０    通電用ハーネス          ２４０    コネクタ
２５０    キャップ                ２５１    平面部
２５２    突出部                  ２５３    スカート部
２５４    フランジ部              ２６０    両面テープ
Ｐ    ポッティング剤
【図１】
0005634314.tif 000002
【図２】
0005634314.tif 000003
【図３】
0005634314.tif 000004
【図４】
0005634314.tif 000005
【図５】
0005634314.tif 000006